(57)【要約】【課題】所属部署毎に従業員情報が記載された従業員情報ファイルを用いて、所定の属性を有する従業員の従業員情報を抽出する際の作業負担を軽減する。【解決手段】各部署の従業員情報がそれぞれ記録された複数の従業員情報ファイルを記憶する従業員情報記憶装置に通信可能に接続され、検索条件を指定した従業員情報の検索要求の入力を受ける検索要求入力部と、前記検索要求を前記従業員情報記憶装置に送信する検索要求送信部と、前記従業員情報記憶装置が前記各部署の従業員情報ファイルから抽出した前記検索条件を満たす従業員情報を、前記従業員情報記憶装置から受信する従業員情報受信部と、前記受信した各従業員情報を一覧表示する従業員情報表示部と、を備えることを特徴とする従業員情報表示装置に関する。【選択図】図６
2008176505.tif 000002
【特許請求の範囲】
【請求項１】
各部署の従業員情報がそれぞれ記録された複数の従業員情報ファイルを記憶する従業員情報記憶装置に通信可能に接続され、
検索条件を指定した従業員情報の検索要求の入力を受ける検索要求入力部と、
前記検索要求を前記従業員情報記憶装置に送信する検索要求送信部と、
前記従業員情報記憶装置が前記各部署の従業員情報ファイルから抽出した前記検索条件を満たす従業員情報を、前記従業員情報記憶装置から受信する従業員情報受信部と、
前記受信した各従業員情報を一覧表示する従業員情報表示部と、
を備えることを特徴とする従業員情報表示装置。
【請求項２】
請求項１に記載の従業員情報表示装置であって、
前記各従業員情報ファイルに記載される従業員情報には、各従業員の電子メールアドレスのうちのアカウント名部分のみを記載した情報が含まれ、
前記従業員情報表示部は、
前記受信した各従業員情報を一覧表示する際に、前記各従業員情報に含まれる電子メールアドレスのアカウント名部分に、所定のドメイン名を結合させて、各従業員の電子メールアドレスを完成させて表示する
ことを特徴とする従業員情報表示装置。
【請求項３】
請求項１に記載の従業員情報表示装置であって、
前記各従業員情報ファイルに記載される従業員情報には、各従業員に一意に付された従業員番号が含まれ、
前記従業員情報表示部は、
前記受信した各従業員情報を一覧表示する際に、前記従業員番号に基づいて、前記各従業員情報を部署毎にソートして表示する
ことを特徴とする従業員情報表示装置。
【請求項４】
請求項１に記載の従業員情報表示装置であって、
前記従業員情報ファイルは、ＨＴＭＬ（Hyper Text Markup Language）で記述されたファイルである
ことを特徴とする従業員情報表示装置。
【請求項５】
各部署の従業員情報がそれぞれ記録された複数の従業員情報ファイルを記憶する従業員情報記憶装置に通信可能に接続される従業員情報表示装置による従業員情報の表示方法であって、
前記従業員情報表示装置が、検索条件を指定した従業員情報の検索要求の入力を受け、
前記従業員情報表示装置が、前記検索要求を前記従業員情報記憶装置に送信し、
前記従業員情報表示装置が、前記従業員情報記憶装置から、前記従業員情報記憶装置によって前記各部署の従業員情報ファイルから抽出された前記検索条件を満たす従業員情報を受信し、
前記従業員情報表示装置が、前記受信した各従業員情報を一覧表示する
ことを特徴とする従業員情報の表示方法。
【発明の詳細な説明】
【技術分野】
【０００１】
本発明は、部署毎に従業員情報が記載された従業員情報ファイルを用いて、所定の属性を有する従業員の従業員情報を抽出する際の作業負担を軽減することを可能とする従業員情報表示装置及び従業員情報の表示方法に関する。
【背景技術】
【０００２】
近年、情報技術が進歩し、従業員の内線番号や社内電子メールアドレス等の従業員情報を、社内のイントラネット等に公開して利用するようにしている企業が多い。  
一方で、多くの企業では各従業員の人事情報が人事データベースに記憶されている（例えば特許文献１参照）。
【０００３】
この人事データベースには、各従業員の従業員番号や所属部署、電話番号、電子メールアドレス等の従業員情報が含まれているが、年令や給料等の個人情報が含まれている場合もある。  
そのため、各従業員の従業員情報をイントラネットに公開して利用する場合には、人事データベースは使わずに、部署毎に、各部署内の従業員の従業員情報を記載した従業員情報ファイルをＨＴＭＬ等で作成し、ウェブサーバに登録して利用するようにすることが多い。
【特許文献１】特開２００５−１１５６１３号公報
【発明の開示】
【発明が解決しようとする課題】
【０００４】
ところで、企業等では、様々な部署から従業員を集め、プロジェクトチームを結成して業務を遂行する場合が多い。  
この場合、プロジェクトチーム内の各メンバーの電子メールアドレスを調べたり、チームのメンバーの構成表を作成したりするには、イントラネットに公開されている各メンバーの所属部署のウェブページを個々に開き、各メンバーの従業員情報を所属部署毎にそれぞれ抽出してゆく作業が必要となる。  
この作業は、大規模なプロジェクトチームであるほど大きな負担となる。このため、このような作業負担を軽減するための技術が求められている。
【０００５】
本発明は、上記課題を鑑みてなされたものであり、部署毎に従業員情報が記載された従業員情報ファイルを用いて、所定の属性を有する従業員の従業員情報を抽出する際の作業負担を軽減する従業員情報表示装置及び従業員情報の表示方法を提供することを主たる目的とする。
【課題を解決するための手段】
【０００６】
上記課題を解決するために、本発明は、各部署の従業員情報がそれぞれ記録された複数の従業員情報ファイルを記憶する従業員情報記憶装置に通信可能に接続され、検索条件を指定した従業員情報の検索要求の入力を受ける検索要求入力部と、前記検索要求を前記従業員情報記憶装置に送信する検索要求送信部と、前記従業員情報記憶装置が前記各部署の従業員情報ファイルから抽出した前記検索条件を満たす従業員情報を、前記従業員情報記憶装置から受信する従業員情報受信部と、前記受信した各従業員情報を一覧表示する従業員情報表示部と、を備えることを特徴とする従業員情報表示装置に関する。
【０００７】
このような態様によって、所属部署毎に従業員情報が記載された各従業員情報ファイルを用いて、所定の属性を有する従業員の従業員情報を抽出する際の作業負担を軽減することが可能となる。また、抽出された従業員情報が一覧表示されるので、各従業員情報の比較も容易に行うことができる。
【０００８】
ここで、上記従業員情報表示装置において、前記各従業員情報ファイルに記載される従業員情報には、各従業員の電子メールアドレスのうちのアカウント名部分のみが記載された情報が含まれ、前記従業員情報表示部は、前記受信した各従業員情報を一覧表示する際に、前記各従業員情報に含まれる電子メールアドレスのアカウント名部分に、所定のドメイン名を結合させて、各従業員の電子メールアドレスを完成させて表示するようにすることもできる。  
このような態様によって、ドメイン名を含む、各従業員の正規の電子メールアドレスを一覧表示することが可能となる。また、従業員情報ファイルには、アカウント名の部分のみを記憶しておけばよいので、従業員情報ファイルのデータサイズを小さくしておくことが可能となる。
【０００９】
また、上記従業員情報表示装置において、前記各従業員情報ファイルに記載される従業員情報には、各従業員に一意に付された従業員番号が含まれ、前記従業員情報表示部は、前記受信した各従業員情報を一覧表示する際に、前記従業員番号に基づいて、前記各従業員情報を部署毎にソートして表示するようにすることもできる。  
このような態様によって、従業員情報を見やすく表示することが可能となる。これにより、一覧表示された従業員情報の中から所定の従業員の従業員情報を容易に見つけることも可能となる。特に、各従業員情報が部署毎にソートされているので、部署との関係の中で各従業員情報を把握することが容易になる。
【００１０】
また、前記従業員情報ファイルは、ＨＴＭＬで記述されたファイルとしてもよい。  
このような態様によって、各従業員情報ファイルの作成が容易に行える。また各従業員情報ファイルを、ブラウザ等を用いて参照することも可能となる。
【００１１】
その他、本願が開示する課題、及びその解決方法は、発明を実施するための最良の形態の欄、及び図面により明らかにされる。
【発明の効果】
【００１２】
部署毎に従業員情報が記載された従業員情報ファイルを用いて、所定の属性を有する従業員の従業員情報を抽出する際の作業負担を軽減することが可能となる。
【発明を実施するための最良の形態】
【００１３】
＝＝＝全体構成＝＝＝
本発明の一実施形態に係る従業員情報管理システム１０００について説明する。  
図１に示すように、本実施形態に係る従業員情報管理システム１０００は、従業員情報管理サーバ２００と従業員端末１００とがイントラネット５００を介して通信可能に接続されて構成される。
【００１４】
従業員情報管理サーバ２００は特許請求の範囲に記載の従業員情報記憶装置に相当する。また従業員端末１００は、特許請求の範囲に記載の従業員情報表示装置に相当する。  
従業員端末１００は、各従業員が操作するコンピュータである。従業員情報管理サーバ２００は、各従業員の内線番号や社内電子メールアドレス等の従業員情報を記載した従業員情報ファイルを、各従業員の所属部署毎に記憶するコンピュータである。
【００１５】
各従業員は、従業員端末１００を用いて、イントラネット５００に接続されている従業員情報管理サーバ２００にアクセスして、各従業員情報を閲覧する。  
後述するように、従業員情報ファイルはＨＴＭＬで記述されているため、従業員端末１００にウェブブラウザがインストールされている場合には、各従業員は、各部署の従業員情報ファイルをウェブブラウザに表示させることにより閲覧することも可能である。
【００１６】
＜従業員情報管理サーバ＞
次に、従業員情報管理サーバ２００のハードウェア構成について説明する。ハードウェア構成のブロック図を図２に示す。なお、従業員情報管理サーバ２００及び従業員端末１００はいずれもコンピュータであり、ハードウェア構成は同様であるので、図２には、これらのハードウェア構成をまとめて示す。
【００１７】
従業員情報管理サーバ２００は、ＣＰＵ（Central Processing Unit）２１０、メモリ２２０、ポート２３０、入力装置２５０、出力装置２６０、記憶装置２８０を備える。
【００１８】
ＣＰＵ２１０は従業員情報管理サーバ２００の全体の制御を司るもので、記憶装置２８０に記憶された従業員情報管理サーバ制御プログラム６２０をメモリ２２０に読み出して実行することにより、従業員情報管理サーバ２００としての各種機能を実現する。
【００１９】
記憶装置２８０は、例えばハードディスク装置や半導体記憶装置等により構成される。図３に示すように、記憶装置２８０には従業員情報管理サーバ制御プログラム６２０、従業員情報ファイル７００が記録されている。
【００２０】
従業員情報ファイル７００は、各従業員の従業員情報を、所属部署毎に、ＨＴＭＬで記述したデータである。従業員情報ファイル７００の一例を図５に示す。なお図５に示す従業員情報ファイル７００は、理解容易化のためにテーブル形式で表現されているが、本実施形態に係る従業員情報ファイル７００は、ＨＴＭＬで記載されたテキストファイルとして構成される。もちろん、従業員情報ファイル７００は、ＨＴＭＬで記述されたテキストファイルに限定されるものではなく、リレーショナルデータベースなどにより構成されるようにしても良い。
【００２１】
従業員情報ファイル７００には、各従業員の従業員情報が記載される。従業員情報は、「個人識別番号」、「氏名」、「カタカナ」、「役職」、「本務兼務」、「組織コード」、「組織名」、「勤務地」、「内線」、「外線」、「Ｅｍａｉｌ」、「ＦＡＸ」の各属性情報を含んで構成される。
【００２２】
図５に示すように、本実施形態に係る従業員情報ファイル７００では、「Ｅｍａｉｌ」欄にドメイン名は記載されておらず、アカウント名の部分のみが記載されている。またこのアカウント名は、従業員の姓と名をローマ字表記したものが２段に分けて記録されている。同様に、「カタカナ」欄も従業員の姓と名をカタカナ表記したものが２段に分けて記録されている。
【００２３】
詳細は後述するが、従業員情報管理サーバ２００は、従業員端末１００から、検索条件を指定した従業員情報の検索要求を受信すると、検索条件を満たす従業員情報を上記各部署の従業員情報ファイル７００から抽出し、検索結果を従業員端末１００に送信する。
【００２４】
図２に戻って、ポート２３０は通信を行うための装置である。例えばイントラネット５００を介した従業員端末１００との間の通信はポート２３０を通じて行われる。
【００２５】
入力装置２５０は操作者等による従業員情報管理サーバ２００へのデータ入力等のために用いられる装置でありユーザインタフェースとして機能する。入力装置２５０としては例えばキーボードやマウス等を用いることができる。  
出力装置２６０は情報を外部に出力するための装置でありユーザインタフェースとして機能する。出力装置２６０としては例えばディスプレイやプリンタ、スピーカ等を用いることができる。
【００２６】
＜従業員端末＞
次に、従業員端末１００のハードウェア構成について説明する。  
従業員端末１００は、ＣＰＵ１１０、メモリ１２０、ポート１３０、入力装置１５０、出力装置１６０、記憶装置１８０を備える。
【００２７】
ＣＰＵ１１０は従業員端末１００の全体の制御を司るもので、記憶装置１８０に記憶された従業員端末制御プログラム６００をメモリ１２０に読み出して実行することにより、従業員端末１００としての各種機能を実現する。例えば、ＣＰＵ１１０が従業員端末制御プログラム６００を実行することにより、特許請求の範囲に記載の検索要求入力部、検索要求送信部、従業員情報受信部、従業員情報表示部が実現される。
【００２８】
記憶装置１８０は、例えばハードディスク装置や半導体記憶装置等により構成される。図４に示すように、記憶装置１８０には従業員端末制御プログラム６００、電子メールプログラム６１０、アドレス帳ファイル８００、従業員情報抽出リスト８１０が記録されている。
【００２９】
電子メールプログラム６１０は、従業員端末１００間で電子メールの授受を行うためのプログラムである。
【００３０】
従業員情報抽出リスト８１０は、従業員端末制御プログラム６００を実行する従業員端末１００が、従業員情報管理サーバ２００から受信した上記検索結果に基づいて生成するファイルである。本実施形態においては、従業員情報抽出リスト８１０は、表計算プログラムで閲覧、修正等が可能な形式のファイルである。そのため、詳しくは後述するが、本実施形態に係る従業員情報抽出リスト８１０は、「イントラ取込」シート、「個人識別番号検索」シート、「オプション検索」シート、「組織人数検索」シート等の複数のシートから構成される。なお、「個人識別番号検索」シート、「オプション検索」シート、「組織人数検索」シートの各シートを、以下の記載では「検索」シートとも記す。
【００３１】
アドレス帳ファイル８００は、従業員端末制御プログラム６００を実行する従業員端末１００が、従業員情報抽出リスト８１０に記載されている各従業員の電子メールアドレスに基づいて生成するファイルである。従業員端末１００は、電子メールプログラム６１０を実行する際に、このアドレス帳ファイル８００に記載されている電子メールアドレスに基づいて、他の従業員端末１００に電子メールを送信することが可能である。
【００３２】
図２に戻って、ポート１３０は通信を行うための装置である。例えばイントラネット５００を介した従業員情報管理サーバ２００や他の従業員端末１００との間の通信はポート１３０を通じて行われる。
【００３３】
入力装置１５０は操作者等による従業員端末１００へのデータ入力等のために用いられる装置でありユーザインタフェースとして機能する。入力装置１５０としては例えばキーボードやマウス等を用いることができる。  
出力装置１６０は情報を外部に出力するための装置でありユーザインタフェースとして機能する。出力装置１６０としては例えばディスプレイやプリンタ、スピーカ等を用いることができる。
【００３４】
＝＝＝処理の流れ＝＝＝
次に、本実施形態に係る従業員情報管理システム１０００を用いて、所属部署毎に従業員情報が記載された従業員情報ファイル７００から、所定の属性を有する従業員の従業員情報を抽出する際の処理の流れを説明する。
【００３５】
図６に処理の流れの概要を示す。また図７〜図１０には、本実施形態に係る従業員情報の検索処理の具体例を示す。
【００３６】
上述したように、従業員情報管理サーバ２００には、各従業員の従業員情報が記録された従業員情報ファイル７００が、部署毎にウェブデータとして記憶されている。従って従業員端末１００は、各部署の従業員ファイル７００のＵＲＬ（Uniform Resource Locator）をそれぞれ指定して、従業員情報管理サーバ２００にリクエストを送信することにより、各部署の従業員情報ファイル７００をダウンロードすることができる。  
なお、従業員情報管理サーバ２００に記録されている従業員情報ファイル７００はウェブデータであるから、通常のウェブブラウザ等によって閲覧することも可能である。
【００３７】
図６に示すように、まず、従業員端末１００は、従業員情報抽出リスト８１０の「検索」シートに従業員情報の検索条件が入力されたことを検知すると、上記検索条件を指定した従業員情報の検索要求を従業員情報管理サーバ２００に送信する。  
そうすると従業員情報管理サーバ２００は、各部署の従業員情報ファイル７００から、上記検索条件を満たす従業員情報を抽出して、従業員端末１００に送信する。
【００３８】
従業員端末１００は、従業員情報管理サーバ２００から送信された従業員情報を、従業員情報抽出リスト８１０の「イントラ取込」シートに取り込み、一覧表示する。「イントラ取込」シートに従業員情報が取り込まれている様子を図７に示す。
【００３９】
図７に示すように、「イントラ取込」シートには、従業員情報ファイル７００の記録形式のまま、各従業員情報が取り込まれる。例えば、「イントラ取込」シートの「カタカナ」欄には、従業員情報ファイル７００と同様に、従業員の性と名が上下２段に別れたまま取り込まれ、記録される。また、「Ｅｍａｉｌ」欄には、従業員の電子メールアドレスのアカウント名部分のみが、性と名とが上下２段に別れたまま取り込まれ、記録される。  
このようにして、「イントラ取込」シートには、各部署の従業員情報ファイル７００から抽出された従業員情報が記録される。
【００４０】
次に、従業員端末１００は、この「イントラ取込」シートに取り込んだ各従業員情報を「検索」シートの表示項目に合わせて修正する。そして、従業員端末１００は、表示形式を修正した各従業員情報を「検索」シートに取り込み、一覧表示する。
【００４１】
上述したように、本実施形態においては、「検索」シートには、図８に示す「個人識別番号検索」シート、図９に示す「オプション検索」シート、図１０に示す「組織人数検索」シートがある。
【００４２】
「個人識別番号検索」シートでは、図８に示すように、「個人識別番号」、すなわち従業員番号を検索条件として指定して、「データ取込」をクリックすると、該当する従業員番号を有する従業員の従業員情報の一覧が表示される。なお、このとき、「個人識別番号検索」シートの「Ｅｍａｉｌ」欄に示されるように、抽出した各従業員情報を一覧表示する際に、電子メールアドレスのアカウント名部分に所定のドメイン名（図８の例では、@aaa.co.jp）を結合させて、各従業員の電子メールアドレスを完成させて表示する。
【００４３】
また「オプション検索」シートでは、図９に示すように、「組織コード」、「個人識別番号」、「兼務」、「除外」を検索条件として指定して、「データ取込」をクリックすると、該当する従業員の従業員情報の一覧が表示される。図９に示されるように、「組織コード」や「個人識別番号」は、完全一致していなくても良い。図９に示す例では、「組織コード」及び「個人識別番号」のいずれも、上２桁のみが検索条件として指定されている。また「兼務」欄に所定の入力を行うと、同一従業員が複数の組織に所属している場合に、重複して表示を行うか否かを指定することができる。兼務者が重複して表示される場合には、兼務者の従業員情報には所定の識別マーク（セルに色をつけるなど）が付されて表示される。また「除外」欄に所定の検索条件の入力を行うと、その条件に該当する従業員の従業員情報を表示させないようにすることができる。例えば、所定の従業員コードを有する従業員を表示させないようにすることができる。
【００４４】
「組織人数検索」シートでは、図１０に示すように、「組織コード」欄に組織コードを入力して、「データ取込」をクリックすると、その組織コードで特定される組織に所属する従業員の従業員情報を表示することができる。また、その際、従業員端末１００は、その組織に所属する従業員の人数を計算して「人数」欄に表示する。さらに、「組織人数検索」シートに表示される各従業員情報は、各従業員の従業員番号に基づいて、部署毎にソートして表示される。
【００４５】
なお、「個人識別番号検索」シートにおいて表示されている電子メールアドレスを選択してマウス等でダブルクリックすることにより、電子メールプログラム６１０が起動し、その従業員に電子メールを送信することもできる。一度に複数の電子メールアドレスを選択することにより、一度に複数の従業員に電子メールを同報することも可能である。
【００４６】
また、「個人識別番号検索」シート、「オプション検索」シート、「組織人数検索」シートのそれぞれにおいて、「アドレス帳作成」をクリックすることにより、各シートに表示されている各従業員の電子メールアドレスから構成されるアドレス帳ファイル８００を作成することも可能である。
【００４７】
次に、本実施形態に係る従業員端末１００における処理の流れを示すフローチャートを図１１に示す。
【００４８】
まず従業員端末１００は、「検索」シートに、従業員情報の検索条件が記載されているか否かを判定する（S1000）。検索条件が指定されていなければ「Ｎｏ」に進み、処理を終了する。  
検索条件が指定されている場合には「Ｙｅｓ」に進み、従業員端末１００は、「検索」シートから検索条件を取り出す（S1010）。そして従業員端末１００は、各従業員情報ファイル７００のＵＲＬに上記検索条件を引数として付加して検索要求を作成する（S1020）。
【００４９】
次に、従業員端末１００は、「イントラ取込」シートのリンク先を上記ＵＲＬにして、「イントラ取込」シートを更新する（S1030）。これにより、従業員端末１００から従業員情報管理サーバ２００に、従業員情報の検索要求が送信される。そして従業員端末１００は、従業員管理サーバ２００が各部署の従業員情報ファイル７００から抽出した、上記検索条件を満たす従業員情報を従業員情報管理サーバ２００から受信し、「イントラ取込」シートに保存する。
【００５０】
次に従業員端末１００は、「イントラ取込」シートに保存した従業員情報が０件であれば、S1040において「Ｎｏ」に進む。一方従業員端末１００は、「イントラ取込」シートに保存した従業員情報が１件以上であれば、S1040において「Ｙｅｓ」に進む。
【００５１】
そして従業員端末１００は、「検索」シートの表示形式に合わせて、各従業員情報を適正に加工しながら、「イントラ取込」シートに保存した各従業員情報を「検索」シートにコピーして表示する（S1050）。  
従業員端末１００は、次の検索条件があればS1010に戻って処理を継続し、次の検索条件がなければ処理を終了する（S1060）。
【００５２】
以上、本実施の形態に係る従業員情報管理システム１０００について詳細に説明したが、本実施形態によれば、所属部署毎に従業員情報が記載された従業員情報ファイルを用いて、所定の属性を有する従業員の従業員情報を抽出する際の作業負担を軽減することが可能となる。またドメイン名を含む、各従業員の正規の電子メールアドレスを一覧表示することが可能となる。また上記従業員情報ファイルには、アカウント名の部分のみを記憶しておけばよいので、従業員情報ファイルのデータサイズを小さくしておくことが可能となる。さらに、従業員端末１００に表示される各従業員情報は部署毎にソートされているので、各従業員情報の内容を容易に把握することが可能となる。
【００５３】
なお上記実施の形態は本発明の理解を容易にするためのものであり、本発明を限定して解釈するためのものではない。本発明はその趣旨を逸脱することなく変更、改良され得ると共に、本発明にはその等価物も含まれる。例えば、ネットワーク５００はイントラネットに限らず、インターネットやエクストラネットとすることもできる。
【図面の簡単な説明】
【００５４】
【図１】本実施の形態に係る従業員情報管理システムの全体構成を示す図である。
【図２】本実施の形態に係る従業員端末及び従業員情報管理サーバの構成を示す図である。
【図３】本実施の形態に係る従業員情報管理サーバの記憶装置を示す図である。
【図４】本実施の形態に係る従業員端末の記憶装置を示す図である。
【図５】本実施の形態に係る従業員情報ファイルを示す図である。
【図６】本実施の形態に係る従業員情報の検索の概要を示す図である。
【図７】本実施の形態に係るイントラ取込シートを示す図である。
【図８】本実施の形態に係る個人識別番号検索シートを示す図である。
【図９】本実施の形態に係るオプション検索シートを示す図である。
【図１０】本実施の形態に係る組織人数検索シートを示す図である。
【図１１】本実施の形態に係る従業員情報検索の処理の流れを示すフローチャートである。
【符号の説明】
【００５５】
１００    従業員端末
２００    従業員情報管理サーバ
５００    イントラネット
６００    従業員端末制御プログラム
６１０    電子メールプログラム
６２０    従業員情報管理サーバ制御プログラム
７００    従業員情報
８００    アドレス帳ファイル
８１０    従業員情報抽出リスト
１０００  従業員情報管理システム
【図１】
2008176505.tif 000003
【図２】
2008176505.tif 000004
【図３】
2008176505.tif 000005
【図４】
2008176505.tif 000006
【図５】
2008176505.tif 000007
【図６】
2008176505.tif 000008
【図１１】
2008176505.tif 000009
【図７】
2008176505.tif 000010
【図８】
2008176505.tif 000011
【図９】
2008176505.tif 000012
【図１０】
2008176505.tif 000013